(57)【要約】      （修正有）【課題】どのような帽子にも手軽に着脱可能に使用できる帽子の汚れ防止具を提供する。【解決手段】汚れ防止具１は、吸水性のある一枚の布状の本体部１５と、固定手段１１ａ〜１１ｃを備えている。汚れ防止具１は、本体部１５を破線１３ａ、１３ｂで三つ折りにしたのち、帽子のスベリに、スベリを挟むようにして固定手段１１ａ〜１１ｃで取り付けて使用する。３つ折りにされた本体部１５の幅は、スベリの幅よりも長く、スベリの表側が汚れ防止具１に覆われるようになっている。３つ折りにされた本体部１５の幅を、スベリの幅よりも長くすることで、スベリが直接使用者の肌に触れて、汚れるのを防ぐことが可能である。固定手段１１ａ〜１１ｃに雌雄一対の面ファスナーを用いる。面ファスナーは、両面テープなどの粘着物で本体部１５、および帽子のスベリに貼り付けられている。【選択図】図１
0003213664.tif 000002
【実用新案登録請求の範囲】
【請求項１】
帽子のスベリの汚れを防ぐための汚れ防止具であって、
吸水性のある布状の本体部と、この本体部に設けられた固定手段と、を備え、
前記本体部は、前記固定手段によって前記スベリの裏側に着脱可能に取り付けられ、スベリを挟むように折り返されることを特徴とする、汚れ防止具。
【請求項２】
前記本体部は、前記スベリよりも幅が広いことを特徴とする、請求項１に記載の汚れ防止具。
【請求項３】
前記汚れ防止具は、前記スベリの表側に設けられた前記固定手段に、対となる固定手段を備えていることを特徴とする、請求項１又は２に記載の汚れ防止具。
【請求項４】
前記本体部に設けられた固定手段は、前記スベリの裏側に対面する固定手段と、前記スベリの表側に対面する固定手段とが、互い違いに配置されていることを特徴とする、請求項３に記載の汚れ防止具。
【請求項５】
前記本体部は、３つ折りにされていることを特徴とする、請求項１〜４の何れかに記載の汚れ防止具。
【請求項６】
前記本体部は、３つ折りの状態を前記固定手段によって保持され、前記本体部に設けられた固定手段は、前記本体部が３つ折り状態のときに、３枚以上重ならないように配置されていることを特徴とする請求項５に記載の汚れ防止具。
【請求項７】
請求項１〜６の何れかに記載の汚れ防止具と、スベリを有する帽子とを備え、
前記帽子のスベリの表側又は裏側の少なくとも一方に、前記汚れ防止具の固定手段と対となる固定手段が１以上設けられていることを特徴とする、スベリ付き帽子。
【請求項８】
前記固定手段は、雌雄一対の面ファスナーであり、一方の面ファスナーが前記本体部に、他方の面ファスナーが前記スベリに設けられている設けられていることを特徴とする、請求項1〜６の何れかに記載の汚れ防止具。
【請求項９】
前記固定手段は、雌雄一対のホックであり、一方のホックが前記本体部に、他方のホックが前記スベリに設けられていることを特徴とする、請求項１〜６の何れかに記載の汚れ防止具。
【考案の詳細な説明】
【技術分野】
【０００１】
本考案は、帽子のスベリに取り付ける、汚れ防止具に関する。
【背景技術】
【０００２】
帽子の内面下端には、帯状のスベリと呼ばれる部品が設けられている。このスベリは、頭部及び額と直に触れる部品であり、着用者の汗や、化粧などによる汚れが付きやすい。帽子は洗濯機で丸洗いすると型崩れを起こすため、汚れを落とすにはスベリのみを手洗いする必要がある。しかし、手洗いは大変煩わしく、手入れを怠った場合、スベリが不衛生な状態となる問題があった。
【０００３】
特許文献１には、帽子のスベリを着脱可能にすることで、スベリを帽子から取り外して手軽に洗濯できる考案について記載されている。
【先行技術文献】
【特許文献】
【０００４】
【特許文献１】特開２００８−２５０７６
【考案の概要】
【考案が解決しようとする課題】
【０００５】
しかし、スベリが着脱可能ではない帽子に関しては、特許文献１には、記載がない。特許文献１の考案では、消費者が手軽にスベリを洗濯するためには、スベリが着脱可能な帽子を選ぶ必要がある。そのため、消費者が帽子を購入する際の選択肢が少なくなってしまう。
【０００６】
本考案はそのような問題に鑑みてなされた考案であり、どのような帽子にも手軽に着脱可能に使用できる、帽子の汚れ防止具を提供することを課題とする。
【課題を解決するための手段】
【０００７】
上記課題を解決するために、本考案は、帽子のスベリの汚れを防ぐための汚れ防止具であって、
吸水性のある布状の本体部と、この本体部に設けられた固定手段と、を備え、
前記本体部は、前記固定手段によって前記スベリの裏側に着脱可能に取り付けられ、スベリを挟むように折り返されることを特徴とする。
【０００８】
このような構成とすることで、使用者は簡単に汚れ防止具をスベリに着脱できる。さらに、汚れ防止具をスベリから取り外して、手軽に洗濯機で洗うことができる。
【０００９】
本考案の好ましい形態では、前記本体部は、前記スベリよりも幅が広いことを特徴とする。
【００１０】
このような構成とすることで、スベリが汚れ防止具に覆われるため、汗等によるスベリの汚れを防ぐことができる。
【００１１】
本考案の好ましい形態では、前記汚れ防止具は、前記スベリの表側に設けられた前記固定手段に、対となる固定手段を備えていることを特徴とする。
【００１２】
このような構成とすることで、使用者が帽子を着用している際に、汚れ防止具の位置がズレていくことを防ぐことができる。
【００１３】
本考案の好ましい形態では、前記本体部に設けられた固定手段は、前記スベリの裏側に対面する固定手段と、前記スベリの表側に対面する固定手段とが、互い違いに配置されていることを特徴とする。
【００１４】
このような構成とすることで、固定手段の設けてある部分と、設けていない部分の厚みの差が小さくなるため、帽子をかぶった時の凸凹とした触感を少なくすることができる。
【００１５】
本考案の好ましい形態では、前記本体部は、３つ折りにされていることを特徴とする。
【００１６】
このような構成とすることで、本体部に用いる布が薄手であっても、汗を十分に吸水することができる。
【００１７】
本考案の好ましい形態では、前記本体部は、３つ折りの状態を前記固定手段によって保持され、前記本体部に設けられた前記固定手段は、前記本体部が３つ折り状態のときに、３枚以上重ならないように配置されていることを特徴とする。
【００１８】
このような構成とすることで、固定手段の設けてある部分と、設けていない部分の厚みの差を小さくできるため、帽子をかぶった時の凸凹とした触感を少なくすることができる。
【００１９】
本考案の好ましい形態では、前記固定手段は、雌雄一対の面ファスナーであり、一方の面ファスナーが前記本体部に、他方の面ファスナーが前記スベリに設けられていることを特徴とする。
【００２０】
本考案の好ましい形態では、前記固定手段は、雌雄一対のホックであり、一方のホックが前記本体部に、他方のホックが前記スベリに設けられていることを特徴とする。
【００２１】
このような構成とすることで、裁縫が苦手な人であっても、簡単に固定手段を帽子のスベリに取り付けることができる。
【００２２】
また、本考案は、汚れ防止具と、スベリを有する帽子とを備え、
前記帽子のスベリの表側又は裏側の少なくとも一方に、前記汚れ防止具の固定手段と対となる固定手段が１以上設けられていることを特徴とする。
【００２３】
このような構成とすることで、使用者は簡単に汚れ防止具をスベリ付き帽子に着脱できる。さらに、汚れ防止具をスベリ付き帽子から取り外して、手軽に洗濯機で洗うことができる。
【考案の効果】
【００２４】
本考案によって、どのような帽子にも手軽に着脱可能に使用できる、帽子の汚れ防止具を提供することができる。
【図面の簡単な説明】
【００２５】
【図１】本考案の一実施形態を示す、汚れ防止具の図である。
【図２】本考案の一実施形態に係る汚れ防止具の、折りたたみ手順を示す図である。
【図３】本考案の一実施形態に係る汚れ防止具の、３つ折りにした状態を示す図である。
【図４】本考案の一実施形態に係る汚れ防止具の、３つ折りにした状態の側面図である。
【図５】本考案の一実施形態に係る汚れ防止具の、取り付ける帽子を斜め下方から見た図である。
【図６】本考案の一実施形態に係る汚れ防止具の、帽子に取り付ける手順を示す図である。
【図７】本考案の一実施形態に係る汚れ防止具の、帽子に取り付けた際の断面図である。
【考案を実施するための形態】
【００２６】
以下、図面を用いて、本考案の実施形態について説明する。ただし、実施形態は以下に限るものではなく、実用新案登録請求の範囲内で、適宜変更可能である。
【００２７】
図１は、本実施形態の汚れ防止具の、正面図と背面図を示す図である。図１（ア）は正面図、図１（イ）は背面図を示している。また、以下、正面図に示す面を汚れ防止具１の表側とし、背面図に示す面を裏側とする。
【００２８】
汚れ防止具１は、吸水性のある一枚の布状の本体部１５と、固定手段１１を備えている。汚れ防止具１は、本体部１５を三つ折りにしたのち、帽子のスベリに、スベリを挟むようにして固定手段１１で取り付けて使用する。また、３つ折りにされた本体部１５の幅は、スベリの幅よりも長く、スベリの表側が汚れ防止具１に覆われるようになっている。３つ折りにされた本体部１５の幅を、スベリの幅よりも長くすることで、スベリが直接使用者の肌に触れて、汚れるのを防ぐことが可能である。図中に現れる破線１３は、本体部１５を３つ折りにする際の折り目を示している。
【００２９】
本実施形態では、固定手段１１に雌雄一対の面ファスナーを用いる。面ファスナーは、両面テープなどの粘着物で本体部１５、および帽子のスベリに貼り付けられている。しかし、実施形態はこれに限るものではなく、面ファスナーの代わりにホックを用いても良い。また、面ファスナーを、粘着物ではなく、糸で本体部１５及び／又は帽子のスベリに縫い付けても良い。
【００３０】
図１（ア）に示すように、本実施形態では、本体部１５の表側には、固定手段１１が７枚貼り付けられている。折り目１３ａと１３ｂとに挟まれた領域内には、スベリに取り付けられた固定手段１１ｄ及び１１ｅ（図５）と対になる固定手段１１ｂ及び１１ｃが設けられている。また、固定手段１１ｂと１１ｃとは、本体部１５の短辺方向に向かって互い違いに配置されている。つまり、汚れ防止具１を帽子のスベリに挟んで取り付けた際に、固定手段１１ｂは、スベリを介して固定手段１１ｃの間に収まる位置となる。このような配置とすることで、固定手段１１ｂと１１ｃとは重ならないため、固定手段１１が設けられている部分と、設けられていない部分との厚みの差を小さくできる。これにより、帽子をかぶった際に額が感じる凸凹とした触感を少なくできる。
【００３１】
折り目１３ａのすぐ下方には、固定手段１１ａが貼り付けられている。この固定手段１１ａは、図１（イ）に示される固定手段１１ａとともに、本体部１５を三つ折りの状態を保持するための固定手段である。
【００３２】
図１（イ）に示すように、本体部１５の裏側には、固定手段１１が２枚貼り付けられている。２枚の固定手段１１ａは、本体部１５の短辺の縁の両端に配置されている。本体部１５の裏側に設けられた固定手段１１ａは、本体部１５の表側に設けられた固定手段１１ａと対となっている。
【００３３】
次いで、図２、図３を用いて、本体部１５を３つ折りにする手順を説明する。図２（ア）は、折り畳む前の本体部１５の裏側を示している。図２（ア）に示される折り目１３ａを谷折りすると、図２（イ）のように、本体部１５の表側に設けられた２枚の固定手段１１ａが現れる。つまり、折り目１３ａを手前に向けて折ることで、本体部１５を３つ折りに保持するための固定手段１１ａが、本体部１５外形の四隅に配置された状態となる。次に、折り目１３ｂを谷折りすると、本体部１５の裏側に設けられた固定手段１１ａは、本体部１５の表側の固定手段１１ａと合わさり、本体部１５は３つ折りの状態で保持される。図３（ア）は、折り目１３ｂを手前に向けて折り、固定手段１１ａを合わせた状態の本体部１５のを示す背面図である。
【００３４】
図３（イ）は、本体部１５が３つ折りにされた状態を示す正面図である。帽子のスベリに設けられた固定手段１１ｄ及び１１ｅと対となる固定手段１１ｂ及び１１ｃが現れている。
【００３５】
図４は、本体部１５の側面図である。図４（ア）は、３つ折りにした本体部１５の側面図で、図４（イ）は３つ折りにした本体部１５をさらに半分に折った状態を示す側面図である。汚れ防止具１を、帽子のスベリに取り付ける際、本体部１５は図４（イ）のような状態となる。
【００３６】
図５は、下方斜めから見た帽子３を示す図である。帽子３は、鍔３３と、クラウンと、クラウンの裏地３２と、スベリ３１とを備えている。スベリ３１は、帽子の内側下端、つまり鍔３３とクラウンの裏地３２との境界に取り付けられている帯状のパーツである。このスベリ３１のうち、使用者が帽子を着用した際に、使用者の額があたる部分に、汚れ防止具１を取り付ける。
【００３７】
スベリ３１には、使用者の額があたる部分に、汚れ防止具１を取り付けるための固定手段１１が設けられている。スベリの、使用者の額に対面する表側には固定手段１１ｅが、表側とは反対のクラウンの裏地３２に対面する裏側には固定手段１１ｄが、それぞれ貼り付けられている。
【００３８】
固定手段１１ｄと１１ｅとは、汚れ防止具１の本体部１５に取り付けられた固定手段１１ｂと１１ｃとにそれぞれ合うような間隔で、スベリに配置されている。つまり、スベリを介して、１１ｄと１１ｅとは交互に一列に並んでいる。このように配置することで、固定手段１１を設けている部分と、設けていない部分との厚みの差を小さくすることができ、額の感じる凸凹とした触感を少なくすることができる。
【００３９】
図６は、帽子３に汚れ防止具１を取り付ける手順を示す図である。まず、図６（ア）に示すように、スベリ３１とクラウンの裏地３２との間に、汚れ防止具１を入れる。汚れ防止具１は、図３（イ）に示すように、固定手段１１ｂが下段となるようにスベリの裏側に挿入し、スベリの裏側に設けられた固定手段１１ｄと汚れ防止具１の固定手段１１ｂとを合わせる。固定手段１１ｂと１１ｄによって、汚れ防止具１は、スベリに固定される。
【００４０】
次に、図６（イ）に示すように、本体部１５をスベリ３１の縁に沿って、手前に折り曲げる。本体部１５に設けられた固定手段１１ｃを、スベリ３１の表側に設けられた固定手段１１ｅと合わせる。固定手段１１ｅと１１ｃとを合わせることで、スベリ３１を挟み込むように、汚れ防止具１をスベリ３１に固定できる。スベリ３１の表側でも固定することで、使用者が汚れ防止具１付きの帽子３を着用している際に、汚れ防止具１がズレていくのを防ぐことができる。
【００４１】
汚れ防止具１が汚れた場合、汚れ防止具１のみを洗濯することができる。その際には、汚れ防止具１を、上記取り付け手順とは逆の順序で、帽子３から取り外せば良い。
【００４２】
図７は、図６（イ）のＡ−Ａ’断面図である。図７に示されるように、汚れ防止具１は、スベリ３１を挟むように取り付けられている。
【００４３】
汚れ防止具１は、本体部１５の一方の短辺を内包する本体部の折り目１３ｂが、スベリの表側に現れるように取り付けられている。つまり、折り目１３ａに包まれていない本体部１５のもう一方の短辺は、スベリの裏側に収まるようになっている。本体部１５の短辺の縁が額に触れると、帽子の着用者にとっては感触が悪い。そのため、折り目１３ｂのみが外側に現れる一方を、スベリの表側にする。
【符号の説明】
【００４４】
１  汚れ防止具
１１  固定手段
１１ａ  汚れ防止具の折り目を保持する固定手段
１１ｂ  スベリに固定するための固定手段
１１ｃ  スベリに固定するための固定手段
１１ｄ  汚れ防止具を固定するための固定手段
１１ｅ  汚れ防止具を固定するための固定手段
１３  折り目
１５  本体部
３  帽子
３１  スベリ
３２  クラウンの裏地
３３  鍔
【図１】
0003213664.tif 000003
【図２】
0003213664.tif 000004
【図３】
0003213664.tif 000005
【図４】
0003213664.tif 000006
【図５】
0003213664.tif 000007
【図６】
0003213664.tif 000008
【図７】
0003213664.tif 000009